(57)【要約】      （修正有）【課題】紙粉末成分又は植物性粉末成分を主成分としたシート状発泡体からなる靴の中敷であって、特に、ランニングシューズ，ウォーキングシューズ等のスポーツシューズのようにインソールが柔軟な材質で且つ踵部に大きな力がかかる靴に対して好適とした靴の中敷を提供する。【解決手段】紙粉末成分又は植物性粉末成分を主成分とし、且つシート状に押圧成形されたシート状発泡体から足型に成形された中敷本体１と、中敷本体１の踵部分１１と同等形状で且つ踵部分１１の下面側に貼着される踵補助部材２とを具備する。踵補助部材２は、中敷本体１の踵部分１１下面側に段差部を形成してなる。【選択図】図１
0003192158.tif 000002
【実用新案登録請求の範囲】
【請求項１】
紙粉末成分又は植物性粉末成分を主成分とし、且つシート状に押圧成形されたシート状発泡体から足型に成形された中敷本体と、該中敷本体の踵部分と同等形状で且つ踵部分の下面側に貼着される踵補助部材とを具備し、該踵補助部材は、前記中敷本体の踵部分下面側に段差部を形成してなることを特徴とする靴の中敷。
【請求項２】
請求項１において、前記踵補助部材は、前記中敷本体よりも硬質材としてなることを特徴とする靴の中敷。
【請求項３】
請求項１又は２において、前記踵補助部材は、前記中敷本体よりも厚さが薄く形成されてなることを特徴とする靴の中敷。
【請求項４】
請求項１，２又は３の何れか１項の記載において、前記踵補助部材の上面側には、前記中敷本体と貼着される粘着層が設けられてなることを特徴とする靴の中敷。
【請求項５】
請求項１，２，３又は４の何れか１項の記載において、前記踵補助部材は、厚紙が使用されてなることを特徴とする靴の中敷。
【請求項６】
請求項１，２，３又は４の何れか１項の記載において、前記踵補助部材は、合成樹脂が使用されてなることを特徴とする靴の中敷。
【請求項７】
請求項１，２，３又は４の何れか１項の記載において、前記踵補助部材は、ゴム材が使用されてなることを特徴とする靴の中敷。
【請求項８】
請求項１，２，３，４，５，６又は７の何れか１項の記載において、前記踵補助部材は、下面側に摩擦力を生じさせる粗面としてなることを特徴とする靴の中敷。
【請求項９】
請求項８において、前記粗面はサンドペーパ−が使用されてなることを特徴とする靴の中敷。
【考案の詳細な説明】
【技術分野】
【０００１】
本考案は、紙粉末成分又は植物性粉末成分を主成分としたシート状発泡体からなる靴の中敷であって、特に、ランニングシューズ，ウォーキングシューズ等のスポーツシューズのようにインソールが柔軟な材質で且つ踵部に大きな力がかかる靴に対して好適とした靴の中敷に関する。
【背景技術】
【０００２】
靴には、サイズを合わせたり、履き心地を良くしたりするために、靴の底に装着する中敷が存在している。本願出願人は、以前に、特許文献１に開示された靴の中敷を開発した。これは、紙粉末成分又は植物性粉末成分を主成分とし、且つシート状に押圧成形されたシート状発泡体から足型に成形され、且つその厚さを３mm乃至８mmとしてなる靴の中敷としたもので、クッション性に優れた良好な履き心地を有し、且つ使用後等には一般ゴミとして焼却可能であり、ひいては自然環境に優れたものとし、足を暖めるとともに保温性を有し、しかも吸湿性に優れ汗を吸収しムレを防止し、前記の不都合又は欠点を解消したものである。
【先行技術文献】
【特許文献】
【０００３】
【特許文献１】実用新案登録第３０８４６１８号公報
【考案の開示】
【考案が解決しようとする課題】
【０００４】
ところで、出願人は、上記靴の中敷を通常の革製の紳士靴或いは婦人靴に対応するものとしていた。しかし、この靴の中敷の使用者からは、紳士靴や婦人靴以外に、ランニングシューズ或いはウォーキングシューズ等の運動靴にも使用したいという要望が生じた。この種の靴では、使用者は走ったり、或いは早足で歩くという使用環境となる。
【０００５】
そのため、特許文献１の中敷或いはその他の中敷においては、ランニング時或いは速度の早いウォーキング時に、中敷が靴のインソール上で前方側にずれてしまうことがある（図５参照）。このようになると、使用者は、ランニングやウォーキングが行い難くなってしまう。
【０００６】
そこで、本考案の目的（解決しようとする技術的課題）は、紙粉末成分又は植物性粉末成分を主成分としたシート状発泡体からなる靴の中敷を通常の紳士靴及び婦人靴以外にランニングシューズ，ウォーキングシューズ等のスポーツシューズにも適用できるものにすることにある。
【課題を解決するための手段】
【０００７】
そこで、考案者は上記課題を解決すべく、鋭意，研究を重ねた結果、請求項１の考案を、紙粉末成分又は植物性粉末成分を主成分とし、且つシート状に押圧成形されたシート状発泡体から足型に成形された中敷本体と、該中敷本体１の踵部分と同等形状で且つ踵部分の下面側に貼着される踵補助部材とを具備し、該踵補助部材は、前記中敷本体の踵部下面側に段差部を形成してなる靴の中敷としたことにより、上記課題を解決した。
【０００８】
請求項２の考案を、請求項１において、前記踵補助部材は、前記中敷本体よりも硬質材としてなる靴の中敷としたことにより、上記課題を解決した。請求項３の考案を、請求項１又は２において、前記踵補助部材は、前記中敷本体よりも厚さが薄く形成されてなる靴の中敷としたことにより、上記課題を解決した。
【０００９】
請求項４の考案を、請求項１，２又は３の何れか１項の記載において、前記踵補助部材の上面側には、前記中敷本体と貼着される粘着層が設けられてなる靴の中敷としたことにより、上記課題を解決した。請求項５の考案を、請求項１，２，３又は４の何れか１項の記載において、前記踵補助部材は、厚紙が使用されてなる靴の中敷としたことにより、上記課題を解決した。
【００１０】
請求項６の考案を、請求項１，２，３又は４の何れか１項の記載において、前記踵補助部材は、合成樹脂が使用されてなる靴の中敷としたことにより、上記課題を解決した。請求項７の考案を、請求項１，２，３又は４の何れか１項の記載において、前記踵補助部材は、ゴム材が使用されてなる靴の中敷としたことにより、上記課題を解決した。
【００１１】
請求項８の考案を、請求項１，２，３，４，５，６又は７の何れか１項の記載において、前記踵補助部材は、下面側に摩擦力を生じさせる粗面としてなる靴の中敷としたことにより、上記課題を解決した。請求項９の考案を、請求項８において、前記粗面はサンドペーパ−が使用されてなる靴の中敷としたことにより、上記課題を解決した。
【考案の効果】
【００１２】
請求項１の考案では、ランニングシューズ或いはウォーキングシューズ等の運動用の靴に使用することで、ランニング時或いはウォーキング時に中敷が運動靴のインソール上におけるズレを防止できるという効果を奏する。上記効果を詳述すると、ランニングシューズ或いはウォーキングシューズ等のインソールは、通常、弾性を有する素材が使用されたり、或いは弾性を備えた布地が使用される。つまり、上記運動靴のインソールは、通常、柔軟性を有している。
【００１３】
本考案において中敷本体の踵部分の裏面側に踵補助部材を貼着し、該踵補助部材を貼着した面を下面側として、ランニングシューズ或いはウォーキングシューズのインソール上に配置する。このとき、踵補助部材の前端縁は、中敷本体の踵部分の下面側における段差部となる。そして、その状態で人がその運動靴を履くと、中敷には体重がかかり、踵補助部材の部分がインソールの踵部分に埋まるような状態となる。
【００１４】
このような状態となることによって、中敷本体の踵部分の下面側における段差部つまり踵補助部材の前端縁がストッパの役目をなし中敷本体がインソールの前方側にずれることを防止できる。また、人の足の踵は靴のインソールに対して常時、力がかかる部分であり、力の変動があったとしても、踵補助部材のインソールに対して、埋まる位置は変動することが殆ど無いものである。
【００１５】
請求項２の考案では、前記踵補助部材は、前記中敷本体よりも硬質材としたものであり、中敷本体の踵部分が補強され、耐久性を増すことができる。請求項３の考案では、踵補助部材は、中敷本体よりも厚さを薄くしたものであり、インソールにめり込み易いものにできる。
【００１６】
請求項４の考案では、前記踵補助部材は、前記中敷本体と貼着される上面側に粘着層が設けられてなる靴の中敷としたことにより、踵補助部材を中敷本体に簡単に貼着することができる。請求項５の考案では、前記踵補助部材は、厚紙が使用されてなる靴の中敷としたことにより、簡単且つ低価格に踵補助部材を製造することができる。
【００１７】
請求項６の考案では、前記踵補助部材は、合成樹脂が使用されてなる靴の中敷としたことにより、耐久性のある中敷にすることができる。請求項７の考案では、前記踵補助部材は、ゴム材が使用されてなる靴の中敷としたことにより、耐久性と共に滑り難い中敷にすることができる。
【００１８】
請求項８の考案では、前記踵補助部材は、下面側を粗面としたことにより、踵補助部材の下面側とインソールとの間に摩擦力がかかり、より一層、中敷がインソール上を前方にずれ難いものにできる。さらに、前記踵補助部材の上面側を、粗面とすることにより、中敷本体と踵補助部材とのズレをより強固に防止することができる。請求項９の考案では、粗面はサンドペーパ−が使用されたことにより、粗面を簡単に形成でき、中敷本体と踵補助部材とのズレをより一層強固に防止することができる。
【図面の簡単な説明】
【００１９】
【図１】（Ａ）は本考案における靴の中敷本体と踵補助部材とを分離した斜視図、（Ｂ）は中敷本体に踵補助部材を貼着した斜視図、（Ｃ）は運動靴に本考案の中敷を装着した状態の縦断側面図である。
【図２】（Ａ）は図１（Ｃ）の（α）部における運動靴のインソール上に本考案の中敷を配置しようとするところの拡大縦断側面図、（Ｂ）は図１（Ｃ）の（α）部における運動靴のインソール上に本考案の中敷が配置された運動靴を人が履いてその体重によって踵補助部材がインソールに埋め込まれた状態を示す拡大縦断側面図である。
【図３】（Ａ）は本考案における踵補助部材の下面側を粗面とした要部拡大縦断側面図、（Ｂ）は本考案における踵補助部材の上面側と下面側を粗面とした要部拡大縦断側面図である。
【図４】（Ａ）は本考案を装着した運動靴のランニング状態における縦断側面図、（Ｂ）は（Ａ）の（β）部拡大図、（Ｃ）は（Ａ）の（γ）部拡大図である。
【図５】従来技術を示す略示図である。
【考案を実施するための形態】
【００２０】
本考案は、主に中敷本体１と踵補助部材２とが具備されたものでてある。該踵補助部材２は、中敷本体１の踵部分１１の下面側に使用する靴の種類等によって、必要に応じて貼着されるものであり、通常は、中敷本体１と踵補助部材２とは分離した状態である〔図１（Ａ）参照〕。また、中敷本体１と踵補助部材２とが具備された構成には、あらかじめ、中敷本体１の踵部分１１下面側に踵補助部材２が貼着されたもの、つまり貼着済みとしたものも含まれる。
【００２１】
中敷本体１の原材料となるものは、シート状発泡体であって、約１０〜４０重量％の紙粉末成分又は植物性粉末成分と、補助剤として約２５〜４０重量％の澱粉（コーンスターチ等）成分と、約３５〜６０重量％のポリオレフィン系樹脂とから構成されている。前記紙粉末成分は、具体的には、官製葉書（葉書古紙も含む），紙幣古紙，切手古紙，上質紙（古紙上質紙を含む）等を使用したものである。
【００２２】
また、前記官製葉書古紙とは、官製葉書製造工程で発生する裁ち屑，汚損紙等の古紙及び使用家庭で発生する汚損紙等も含むものである。また、前記植物性粉末成分としては、ふすま，茶葉殻，トウモロコシ粕，オカラ等の食物残滓等の粉末である。また、各成分の約１割程度の増減は本考案に含まれる。
【００２３】
前記官製葉書（葉書古紙も含む），紙幣古紙，切手古紙，上質紙（古紙上質紙を含む）等の紙材は、まずミキサーカッタ方式の粉砕機で粗粉砕（破砕）され、次にミル（臼）方式の粉砕機で微粉砕したものが、集塵機で粉体として収集される。このような紙粉体としての紙粉末成分が、混練機を使用して澱粉成分と混練され、ポリオレフィン系樹脂とともに加熱溶融され、水を発泡媒体として、２軸の押出機を用いて押出されて、板状発泡体が製造される。前記官製葉書古紙の粉砕は、１００〜２００メッシュの篩を通過した程度の粉体（約１５０〜８０μｍ粒径）にすることが好ましい。
【００２４】
本考案における靴の中敷本体１を構成する発泡体の原料組成の割合は、全体に占めるポリオレフィン系樹脂の割合が６０重量％程度であり、これにより発泡体を得ることができる。官製葉書古紙の有効利用という観点から、ポリオレフィン系樹脂の比率は６０重量％以下として、官製葉書古紙の組成比率を１０重量％以上で、できるだけ多くすることが望ましい。
【００２５】
また、前記ポリオレフィン系樹脂はポリプロピレン樹脂又はポリエチレン樹脂とすることもある。前記ポリオレフィン系樹脂（好ましくは、ポリプロピレン樹脂又はポリエチレン樹脂）の割合は６０重量％以上になっても、前述とほぼ同様な発泡体を得ることはできる。また、シート状発泡体は、前記板状発泡体をロール成形機により、押圧してシート状に成形したものである。このようにして形成された本考案の靴の中敷本体１は、履き心地の良さに加えて、足を暖かかく保護することができる。
【００２６】
中敷本体１は、上記の原材料から足型に形成されたものである〔図１（Ａ）参照〕。中敷本体１はその厚さは、約３mm乃至８mmの範囲であり、さらに好適な厚さとしては、略５mmである。また、中敷本体１の長手方向（つまり前後方向）は、シート状発泡体を構成する並列状の複数本の紐状物のそれぞれの長手方向に沿う構成となっている。また、中敷本体１は、通常では、最も大きなサイズの足型に形成されており、使用する者が自分の足に合わせて中敷本体１を鋏，カッターナイフ等で周囲を切断して使用することができる。
【００２７】
踵補助部材２は、前記中敷本体１の踵部分１１と同等形状又は略同等形状としたものである〔図１（Ａ）参照〕。踵補助部材２は、厚紙等の紙材，合成樹脂製のシート材或いはゴム製のシート材が使用される。踵補助部材２は、中敷本体１の踵部分１１との接合性，価格等を考慮し、さらには廃棄時の環境保護の観点から、紙材が好適である。また、厚紙の種類はどのようなものでも構わないが、扱い易く、且つ入手し易い点からボール紙が好適である。
【００２８】
そして、踵補助部材２は、前記中敷本体１よりも厚さが薄く形成されている。具体的には、踵補助部材２の厚さは約０．２mm乃至２mm程度であり、約０．３mm程度が好適である。踵補助部材２は、中敷本体１の踵部分１１の下面側に貼着され、中敷本体１の踵部分１１下面側で前記踵補助部材２の前端縁２ａの部分によって中敷本体１の下面側に段差部が構成される〔図１（Ｂ），図２（Ａ）参照〕。
【００２９】
踵補助部材２は、前記中敷本体１の踵部分１１下面側に貼着されるものである。その貼着手段３としては、２つの実施形態が存在し、第１に粘着テープ３１としたものであり、具体的には両面テープが使用される〔図１（Ａ）参照〕。踵補助部材２に粘着テープ３１の一方の面が貼着されており、他方の面には剥離紙が設けられ、踵補助部材２が必要な場合のみ剥離紙３１ａを剥して中敷本体１に貼着される。貼着手段３の第２実施形態としては接着剤を使用するものである。
【００３０】
踵補助部材２は、下面側を粗面２１とする実施形態が存在する。この実施形態では、凹凸又は細かい起伏が設けられた面である〔図３（Ａ）参照〕。具体的には、粗面２１は、荒目のサンドペーパが使用される。この実施形態の変形例として、踵補助部材２の上面側にも粗面２１が設けられたものが存在する〔図３（Ｂ）参照〕。
【００３１】
踵補助部材２の下面側を粗面２１とする構成において、該粗面２１にサンドペーパを使用する場合では、粗面２１と踵補助部材２とが別材となる。そして、必要に応じて、サンドペーパとした粗面２１と、踵補助部材２とを接着剤或いは両面テープ等にて接着する構成する。また、踵補助部材２そのものをサンドペーパとしてもよい。
【００３２】
また、踵補助部材２の粗面２１は、人為的な加工によって形成されてもよく、例えば金型によって、踵補助部材２の一方側面（上面）から他方側面（下面）に向かって多数の小突起を形成することにより、踵補助部材２の下面側を粗面２１とすることも可能である。
【００３３】
本考案は、通常の革製の紳士靴や婦人靴のように、インソール４が革製又は硬質な材質とした靴４では、中敷本体１のみを使用し、踵補助部材２は使用しないものである。踵補助部材２は、ランニングシューズ又はウォーキングシューズ等の運動用の靴４を履く場合に使用するものである〔図１（Ｃ）参照〕。
【００３４】
本考案では、ランニングシューズ或いはウォーキングシューズ等の運動用の靴４に使用する場合に、中敷本体１の踵部分１１の下面側に踵補助部材２が貼着し、中敷本体１の踵補助部材２を貼着した側を下面として運動靴４のインソール４１上に配置する〔図１（Ｃ），図２（Ａ）参照〕。ここで、ランニングシューズ或いはウォーキングシューズ等の運動用の靴４のインソール４１は、通常、弾性を有する素材が使用されたり、或いは弾性を備えた布地が使用される。つまり、上記運動靴のインソール４１は、通常、柔軟性を有している。
【００３５】
この状態で、人が運動用の靴４を履くと、中敷本体１と共にインソール４１には体重Ｗがかかり、踵補助部材２の部分がインソール４１の踵接地部分にめり込んで、埋まるような状態となる〔図１（Ｃ），図２（Ｂ）参照〕。特に、踵補助部材２は、中敷本体１よりも厚さを薄くしたことにより、インソール４１に極めて埋まり込み易いものとなる。
【００３６】
このような踵補助部材２がインソール４１に埋まり込んだ状態となることによって、踵補助部材２は、インソール４１状において、中敷本体１がずれないようにするためのストッパとしての役目をなす。つまり、使用者の体重Ｗによって中敷本体１の踵部分１１下面側の段差部つまり踵補助部材２が、インソール４１に埋まり込んだ状態となる（図４参照）。
【００３７】
そして、ランニング又はウォーキング時に、使用者の体重Ｗ及び前方への走り又は歩き運動によって、中敷本体１には、靴４の前方側に向かって移動しようとする力Ｆａが作用することになる〔図４（Ｂ）参照〕。そして、この力Ｆａが作用すると、インソール４１に埋まり込んだ踵補助部材２の前端縁２ａ箇所に、インソール４１側から反力Ｆｂがかかる〔図４（Ｂ），（Ｃ）参照〕。
【００３８】
これによって、踵補助部材２の前端縁２ａは、インソール４１に埋まり込んだ部分と相互に係止し合う状態となり〔図４（Ｂ），（Ｃ）参照〕、中敷本体１は、前方に移動し難い状態となる。したがって、ランニング又は早足のウォーキング時に中敷本体１がインソール４１の前方側にずれてしまうことを防止できる（図４参照）。
【００３９】
このように、本考案では、中敷本体１の踵部分１１の下面側に踵補助板材２を貼着することによって、該踵補助部材２の前端縁２ａが中敷本体１の踵部分１１の下面側に段差部を形成することになり、この段差部が前述したように、運動用の靴４内の中敷本体１の前方側へのズレを防止するストッパとなる〔図４（Ｂ）参照〕。
【００４０】
また、人の足の踵は、運動靴４のインソール４１に対して常時、力がかかる部分であり、走行或いは歩行中に力の変動があったとしても、踵補助部材２のインソール４１に対して、埋まる位置はほとんど変動することが殆ど無いものであり、中敷本体１のインソール４１上における位置の安定性を確保できる。
【００４１】
本考案における靴の中敷は、中敷本体１と、踵補助部材２とは、分離された状態で包装袋に梱包されて販売される。そして、本考案の使用者は、通常の革製の紳士靴や婦人靴に対して中敷本体１を使用する場合には、該中敷本体１のみを靴４のインソール４１上に載置して靴を使用する。
【００４２】
また、使用する靴がランニングシューズ又はウォーキングシューズ等の運動靴４を履く場合には、中敷本体１の踵部分１１下面側に踵補助部材２を貼着し、中敷本体１の踵補助部材２を貼着した側を下面として運動靴４のインソール４１上に配置する。このように、本考案の使用者は、通常の革製の紳士靴や婦人靴等の靴４と、ランニングシューズ又はウォーキングシューズ等の運動用の靴４とを使い分けてそれぞれに適応した状態で使用することができる。
【００４３】
また、本考案における中敷を始めからランニングシューズ又はウォーキングシューズ等の運動用の靴４に専用のものとすれば、踵補助部材２は中敷本体１の踵部分１１に貼着済みとして提供しても構わない。
【符号の説明】
【００４４】
１…中敷本体、１１…踵部分、２…踵補助部材、２ａ…前端縁、２１…粗面、４…靴、
４１…インソール。
【図１】
0003192158.tif 000003
【図２】
0003192158.tif 000004
【図３】
0003192158.tif 000005
【図４】
0003192158.tif 000006
【図５】
0003192158.tif 000007